(57)【要約】【課題】  ベース部材の幅を狭くすることができる携帯機器のスライド機構を提供する。【解決手段】  ベース部材４及びスライダー５のいずれか一方に一端部が回動可能に取り付けられていると共に、その残りの他方に他端部が回動可能に取り付けられ、かつ、両端部を互いに離間する方向に付勢する伸縮可能なスライド付勢手段６とを備え、スライド付勢手段６の両端部が、ベース部材４及びスライダー５のスライド途中に両端部間の長さが最小となるようにベース部材及びスライダーにそれぞれ配置され、これら両端部のいずれか一方の端部が、直線方向に対して直交する直交方向に移動可能にベース部材４及びスライダー５に取り付けられ、スライド付勢手段６の一方の端部を、直交方向のスライド付勢手段６の他方の端部側に付勢する第２付勢手段７を設けたことにより、前記課題を解決した。【選択図】        図１
2006081107.tif 000002
【特許請求の範囲】
【請求項１】
第１の筐体及び第２の筐体のいずれか一方の筐体に取り付けられるベース部材と、その残りの他方の筐体に取り付けられ、前記ベース部材に対しスライド可能に係合されているスライダーと、前記ベース部材及び前記スライダーのいずれか一方に一端部が回動可能に取り付けられていると共に、その残りの他方に他端部が回動可能に取り付けられ、かつ、両端部を互いに離間する方向に付勢する伸縮可能なスライド付勢手段とを備えて、前記第１の筐体と前記第２の筐体を直線方向に相対的にスライドさせるスライド機構であって、
前記スライド付勢手段の両端部が、前記スライドの途中に該両端部間の長さが最小となるように前記ベース部材及び前記スライダーにそれぞれ配置され、これら両端部のいずれか一方の端部が、前記直線方向に対して直交する直交方向に移動可能に前記ベース部材又は前記スライダーに取り付けられ、
該スライド付勢手段の一方の端部を、前記直交方向の前記スライド付勢手段の他方の端部側に付勢する第２付勢手段を設けたことを特徴とする、携帯機器のスライド機構。
【請求項２】
前記スライド付勢手段及び前記第２付勢手段の少なくとも一方が、シリンダと、このシリンダに往復動可能に一部が収容されたロッドと、前記シリンダ内に収容され、前記ロッドをその露出長が長くなるように付勢するコンプレッションスプリングとを備えたことを特徴とする、請求項１に記載の携帯機器のスライド機構。
【請求項３】
前記コンプレッションスプリングが前記シリンダ内に２つ以上並列されていることを特徴とする、請求項２に記載の携帯機器のスライド機構。
【請求項４】
第１の筐体及び第２の筐体のいずれか一方の筐体に取り付けられるベース部材と、その残りの他方の筐体に取り付けられ、前記ベース部材に対しスライド可能に係合されているスライダーと、前記ベース部材及び前記スライダーのいずれか一方に一端部が回動可能に取り付けられていると共に、その残りの他方に他端部が回動可能に取り付けられているスライドアームとを備えて、前記第１の筐体と前記第２の筐体を直線方向に相対的にスライドさせるスライド機構であって、
前記スライドアームの両端部が、前記スライドの途中に該両端部が前記直線方向に対して直交する直線上に位置されるように前記ベース部材及び前記スライダーにそれぞれ配置され、これら両端部のいずれか一方の端部が、前記直線方向に対して直交する直交方向に移動可能に前記ベース部材又は前記スライダーに取り付けられ、
該スライドアームの一方の端部を、前記直交方向の前記スライドアームの他方の端部側に付勢するアーム付勢手段を設けたことを特徴とする、携帯機器のスライド機構。
【請求項５】
第１の筐体及び第２の筐体のいずれか一方の筐体に取り付けられるベース部材と、その残りの他方の筐体に取り付けられ、前記ベース部材に対しスライド可能に係合されているスライダーと、前記ベース部材及び前記スライダーのいずれか一方に一端部が回動可能に取り付けられていると共に、その残りの他方に他端部が回動可能に取り付けられているスライド付勢手段とを備えて、前記第１の筐体と前記第２の筐体を直線方向に相対的にスライドさせるスライド機構であって、
前記スライド付勢手段の両端部が、前記スライドの途中に該両端部間の長さが最小となるように前記ベース部材及び前記スライダーにそれぞれ配置され、
該スライド付勢手段が、両端部を互いに離間する方向に付勢する伸縮可能な第１付勢部材と、該第１付勢部材に回動可能に連結され、第１付勢部材とで屈曲状となる第２アームと、前記第１付勢部材と前記第２アームとを直線状になるように付勢する第３付勢手段とからなることを特徴とする、携帯機器のスライド機構。
【請求項６】
前記第３付勢手段が、湾曲コンプレッションスプリング又は湾曲引きスプリングを有することを特徴とする、請求項５に記載の携帯機器のスライド機構。
【請求項７】
前記ベース部材と前記一方の筐体との間及び前記スライダーと前記他方の筐体との間の少なくとも一方に、ボールベアリングが設けられていることを特徴とする、請求項１〜６のいずれか１項に記載の携帯機器のスライド機構。
【請求項８】
前記請求項１〜７のいずれか１項に記載の携帯機器のスライド機構を備えたことを特徴とする携帯電話機。
【発明の詳細な説明】
【技術分野】
【０００１】
本発明は、携帯電話機などの携帯機器を構成する第１の筐体と第２の筐体を直線方向に相対的にスライドさせる際に用いられて好適な携帯機器のスライド機構及びその携帯機器のスライド機構を備えた携帯電話機に関するものである。
【背景技術】
【０００２】
携帯機器の一種である携帯電話機において、キーボード部やマイク部等を上面に設けた送話部としての第１の筐体と、ディスプレイ部やスピーカー部等を上面に設けた受話部としての第２の筐体とを有し、これらの第１の筐体と第２の筐体が完全に重なり合って第２の筐体で第１の筐体の上面を覆う状態と、第２の筐体を第１の筐体に対して長手方向へスライドさせて第１の筐体の上面を露出させる状態とを作り出す、スライド機構付きのものが市場に出回っている。このようなスライド機構を有する携帯電話機としては、下記する特許文献１に記載されたものが公知である。
【特許文献１】特開２００３−１２５０５２号公報
【発明の開示】
【発明が解決しようとする課題】
【０００３】
この特許文献１に記載されたものは、スライドカバーとロックプレートを重ね合わせて固着したスライドケースを第２の筐体の下面に取り付けると共に、スライドケース内に摺動可能に収装したスライダーを第１の筐体の上面に取り付けることで、第２の筐体を第１の筐体に対してスライドさせることができるという構成のものであった。このような構成であると、第１の筐体と第２の筐体の相対的操作、即ち、スライド操作は全て手動で行わなくてはならず、操作性の点で難点があった。このため、本出願人は先に、半自動でスライド操作を行えるスライド機構を提案した。
【０００４】
このスライド機構は、例えば、第１の筐体の上面に取り付けられるベース部材と、そのベース部材に摺動可能に係合されたスライダーと、ベース部材とスライダーとの間に設けられ、スライダーをベース部材に対する所定の摺動位置から閉方向及び又は開方向へ摺動付勢させる弾性手段とで構成されており、スライダーがベース部材に対する所定の摺動位置から閉方向又は開方向へ摺動付勢されるので、第１の筐体と第２の筐体を相対的な所定のスライド位置から自動的に開閉できるものである。
【０００５】
このスライド機構の弾性手段としては、１つのトーションスプリングが用いられている。このトーションスプリングの一端部がベース部材の上面に回動可能に取り付けられていると共に、その他端部がスライダーの下面に回動可能に取り付けられており、スライダーの始点位置の時にはスライダーを始点位置の方向へ摺動付勢し、スライダーの終点位置の時にはスライダーを終点位置の方向へ摺動付勢するように動作するものである。すなわち、トーションスプリングは、スライダーが始点位置の時には他端部が一端部に対して始点位置側に位置されてスライダーを始点位置の方向へ摺動付勢し、スライダーを始点位置から終点位置に向けて摺動させたとき、他端部が一端部に対して終点位置側に移動して、スライダーを終点位置の方向へ付勢するものである。
【０００６】
このように、トーションスプリングは、スライダーを摺動させたとき、一端部側からみると、一端部を軸に回動して他端部の位置が一端部に対して反対になることにより、スライダーを閉方向と開方向の２つの方向に摺動付勢するものであるので、トーションスプリングによってベース部材及びスライダーの幅が決定されることになる。すなわち、トーションスプリングは、スライダーを始点位置及び終点位置に付勢することができる付勢力を有するものが選択されるために、この付勢力を有するトーションスプリングの一端部と他端部との間隔が最小のときにコイル部が付勢力に抗して変位し得るようにベース部材及びスライダーの幅が決定されてしまう。このため、ベース部材及びスライダーの幅をこれ以上狭くすることができなかった。
【０００７】
本発明は、前記課題を解決するためになされたものであって、その目的は、ベース部材及びスライダーの幅を狭くすることができる携帯機器のスライド機構及びその携帯機器のスライド機構を備えた携帯電話機を提供することにある。
【課題を解決するための手段】
【０００８】
前記の目的を達成するための本発明に係る携帯機器のスライド機構は、第１の筐体及び第２の筐体のいずれか一方の筐体に取り付けられるベース部材と、その残りの他方の筐体に取り付けられ、前記ベース部材に対しスライド可能に係合されているスライダーと、前記ベース部材及び前記スライダーのいずれか一方に一端部が回動可能に取り付けられていると共に、その残りの他方に他端部が回動可能に取り付けられ、かつ、両端部を互いに離間する方向に付勢する伸縮可能なスライド付勢手段とを備えて、前記第１の筐体と前記第２の筐体を直線方向に相対的にスライドさせるスライド機構であって、前記スライド付勢手段の両端部が、前記スライドの途中に該両端部間の長さが最小となるように前記第ベース部材及び前記スライダーにそれぞれ配置され、これら両端部のいずれか一方の端部が、前記直線方向に対して直交する直交方向に移動可能に前記ベース部材又は前記スライダーに取り付けられ、該スライド付勢手段の一方の端部を、前記直交方向の前記スライド付勢手段の他方の端部側に付勢する第２付勢手段を設けたことを特徴とする。
【０００９】
この発明によれば、スライド付勢手段の両端部が、スライドの途中に両端部間の間隔が最小となるように配置されていることにより、ベース部材及びスライダーを互いにスライドさせたとき、スライド付勢手段の両端部間の長さが最小になった後は、スライド付勢手段の付勢力によりベース部材及びスライダーが自動的にスライドする。また、スライド付勢手段の一方の端部が、ベース部材又はスライダーのスライド方向である直線方向と直交する直交方向に移動可能に取り付けられ、このスライド付勢手段の一方の端部を付勢する第２付勢手段を設けたことにより、スライド付勢手段の一方の端部を第２付勢手段の付勢力によりスライド付勢手段の一端部側に付勢して、スライド付勢手段の両端部間の長さを第２付勢手段で付勢されていない場合に比して狭くすることができる。その結果、付勢力の小さなスライド付勢手段を用いることができるので、ベース部材及びスライダーの幅を狭くすることが可能となる。
【００１０】
本発明に係る携帯機器のスライド機構において、前記スライド付勢手段及び前記第２付勢手段の少なくとも一方が、シリンダと、このシリンダに往復動可能に一部が収容されたロッドと、前記シリンダ内に収容され、前記ロッドをその露出長が長くなるように付勢するコンプレッションスプリングとを備えることが好ましい。
【００１１】
本発明に係る携帯機器のスライド機構において、前記コンプレッションスプリングが前記シリンダ内に２つ以上並列されていることが好ましい。この発明によれば、コンプレッションスプリングを並列することができ、付勢力をあげることができる。
【００１２】
また、本発明に係る携帯機器のスライド機構は、第１の筐体及び第２の筐体のいずれか一方の筐体に取り付けられるベース部材と、その残りの他方の筐体に取り付けられ、前記ベース部材に対しスライド可能に係合されているスライダーと、前記ベース部材及び前記スライダーのいずれか一方に一端部が回動可能に取り付けられていると共に、その残りの他方に他端部が回動可能に取り付けられているスライドアームとを備えて、前記第１の筐体と前記第２の筐体を直線方向に相対的にスライドさせるスライド機構であって、前記スライドアームの両端部が、前記スライドの途中に該両端部が前記直線方向に対して直交する直線上に位置されるように前記ベース部材及び前記スライダーにそれぞれ配置され、これら両端部のいずれか一方の端部が、前記直線方向に対して直交する直交方向に移動可能に前記ベース部材又は前記スライダーに取り付けられ、
該スライドアームの一方の端部を、前記直交方向の前記スライドアームの他方の端部側に付勢するアーム付勢手段を設けたことを特徴とする。
【００１３】
また、本発明に係る携帯機器のスライド機構は、第１の筐体及び第２の筐体のいずれか一方の筐体に取り付けられるベース部材と、その残りの他方の筐体に取り付けられ、前記ベース部材に対しスライド可能に係合されているスライダーと、前記ベース部材及び前記スライダーのいずれか一方に一端部が回動可能に取り付けられていると共に、その残りの他方に他端部が回動可能に取り付けられているスライド付勢手段とを備えて、前記第１の筐体と前記第２の筐体を直線方向に相対的にスライドさせるスライド機構であって、前記スライド付勢手段の両端部が、前記スライドの途中に該両端部間の長さが最小となるように前記ベース部材及び前記スライダーにそれぞれ配置され、該スライド付勢手段が、両端部を互いに離間する方向に付勢する伸縮可能な第１付勢部材と、該第１付勢部材に回動可能に連結され、第１付勢部材とで屈曲状となる第２アームと、前記第１付勢部材と前記第２アームとを直線状になるように付勢する第３付勢手段とからなることを特徴とする。この本発明に係る携帯機器のスライド機構において、前記第３付勢手段が、湾曲コンプレッションスプリング又は湾曲引きスプリングを有することが好ましい。
【００１４】
本発明に係る携帯機器のスライド機構において、前記ベース部材と前記一方の筐体との間及び前記スライダーと前記他方の筐体との間の少なくとも一方に、ボールベアリングが設けられていることが好ましい。この発明によれば、ベース部材及びスライダーを互いにスライドさせたときに、筐体にかかる摩擦力がボールベアリングによって軽減されるので、ベース部材やスライダー及び筐体の磨耗を抑制することができる。
【００１５】
また、本発明に係る携帯電話機は、前記の本発明に係る携帯機器のスライド機構を備えたことを特徴とする。この発明によれば、前述と同様に、スライド付勢手段の一方の端部を第２付勢手段の付勢力によりスライド付勢手段の一端部側に付勢して、スライド付勢手段の両端部間の長さを第２付勢手段で付勢されていない場合に比して狭くすることができる。その結果、付勢力の小さなスライド付勢手段を用いることができるので、筐体の幅を狭くすることが可能となる。
【発明の効果】
【００１６】
以上説明したように本発明に係る携帯機器のスライド機構及び携帯電話機によれば、スライド付勢手段の一方の端部が移動可能に取り付けられていると共に第２付勢手段によりスライド付勢手段の一端部側に付勢されるので、付勢力の小さなスライド付勢手段を用いることがでベース部材やスライダー及び筐体の幅を狭くすることができる。
【発明を実施するための最良の形態】
【００１７】
以下、本発明に係る携帯機器のスライド機構を添付図面に基づいて詳述する。
【００１８】
図１〜図４は、本発明に係る第１の携帯機器のスライド機構の一例を示すものである。本発明に係る携帯機器のスライド機構は、携帯機器を構成する第１の筐体と第２の筐体を直線方向に相対的にスライドさせるものである。携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機について説明するが、これに限定されるものではない。
【００１９】
本発明に係る第１の携帯機器のスライド機構は、図１〜図４に示すように、第１の筐体２及び第２の筐体３のいずれか一方の筐体に取り付けられるベース部材４と、その残りの他方の筐体に取り付けられ、前記ベース部材４に対しスライド可能に係合されているスライダー５と、前記ベース部材４及び前記スライダー５のいずれか一方に一端部が回動可能に取り付けられていると共に、その残りの他方に他端部が回動可能に取り付けられ、かつ、両端部を互いに離間する方向に付勢する伸縮可能なスライド付勢手段６とを備えている。本発明に係る第１の携帯機器のスライド機構１は、前記スライド付勢手段６の両端部が、前記スライドの途中に該両端部間の長さが最小となるように前記ベース部材４及び前記スライダー５にそれぞれ配置され、これら両端部のいずれか一方の端部が、前記直線方向に対して直交する直交直線方向に移動可能に前記ベース部材４又は前記スライダー５に取り付けられ、該スライド付勢手段６の一方の端部を、前記直交方向の前記スライド付勢手段６の他方の端部側に付勢する第２付勢手段７を設けたことを特徴とする。
【００２０】
第１の筐体２は、図１〜図３及び図１０に示すように、携帯電話機の送話部を構成するものであり、キーボード部２ａやマイク部等を上面に有している。第１の筐体２は、略矩形状に形成されている。第２の筐体３は、同じく携帯電話機の受話部を構成するものであり、ＬＣＤなどのディスプレイ部３ａやスピーカー部等を上面に有している。第２の筐体３は、第１の筐体２と略同じ略矩形状に形成されている。なお、第１の筐体２及び第２の筐体３は、図１〜図３においていずれも想像線で記載してある。
【００２１】
第１の筐体２の上面には、例えば、ベース部材４（キーベース部材ということがある。）が取り付けられている。このベース部材４は、第１の筐体２の上面であってキーボード部より上方の上面に例えばねじ等により取り付けられる。ベース部材４は、図１〜図５に示すように、その下方側（キーボード部側）が矩形状に切り欠かれているが、これを除けば略矩形状に形成されている。ベース部材４の両側部４１、４１は、上方に略直角に折り曲げられて形成されている。すなわち、ベース部材４は、略コ字状に例えばステンレス製の金属プレートをプレス加工により形成されている。また、ベース部材４は、合成樹脂の成型品であってもよい。なお、図５中、符号４８は、ベース部材４を第１の筐体２に取り付けるための取付孔を示している。この取付孔４８の内壁には例えばネジ溝が設けられている。
【００２２】
また、ベース部材４の一方の側部近傍には、スライド付勢手段６の一端部を取り付けるための第１取付孔４５が設けられている。この第１取付孔４５に第１シャフト１１が取り付けられている。第１シャフト１１は、第１取付孔４５の径より大きな寸法の径の円柱状のシャフト部１１ａと、そのシャフト部１１ａの一端面に同軸上に設けられ、第１取付孔４５に挿入されると共にシャフト部１１ａの径より寸法が小さな径の突部１１ｂと、シャフト部１１ａの他端面に同軸上に設けられ、シャフト部１１ａの径より寸法が大きな径のストッパ部１１ｃとからなる。
【００２３】
ベース部材４の両側部の内面（それぞれ対向する表面）には、互いに対向するようにそれぞれ係合凸部４３が設けられている。これらの係合凸部４３は、ベース部材４の両側部の長手方向全体に形成されていてもよいし、その一部に間隔をあけて複数形成されていてもよい。また、ベース部材４の取付面（両側部が立設してない表面（裏面ということがある。））の両側部近傍には、ボールベアリング１７を収容するボールベアリング収容部４７が複数設けられており、これらのボールベアリング収容部４７にボールベアリング１７が収容された取付面が第１の筐体２の上面にボールベアリング１７を介して取り付けられるようになっている。
【００２４】
第２の筐体３の下面には、例えば、スライダー５（ＬＣＤベース部材ということがある。）が取り付けられている。このスライダー５は、第２の筐体３の下面の上方近傍から下方近傍にかけて例えばねじ等により取り付けられている。スライダー５は、図１〜図４及び図６に示すように、その下方側が矩形状に切り欠かれているが、これを除けば略細長の矩形状に形成されている。スライダー５の両側部５１、５１は、下方に略直角に折り曲げられて形成されている。すなわち、スライダー５は、略コ字状に例えばステンレス製の金属プレートをプレス加工により形成されている。また、スライダー５は、合成樹脂の成型品であってもよい。スライダー５の両側部の外面（それぞれ対向する表面とは反対側の表面）間の長さは、ベース部材４の両端部の内面間の長さより小さな、好ましくは若干小さな寸法で形成されている。なお、図６中、符号５８は、スライダー５を第２の筐体３に取り付けるための取付孔を示している。この取付孔５８の内壁には例えばネジ溝が設けられている。
【００２５】
スライダー５の両側部の外面には、その長手方向に係合凹部５３がそれぞれ設けられている。これらの係合凹部５３とベース部材４の係合凸部４３がそれぞれ係合して、ベース部材４及びスライダー５を介して第１の筐体２及び第２の筐体３が互いにその長手方向に直線上にスライドするようになっている。すなわち、ベース部材４の両側部４１、４１の内側にスライダー５の両側部５１、５１がスライド係合して、ベース部材４とスライダー５とで略矩形筒状に形成されている。係合凹部５３は、一方の端部（例えば上方側の端部）が閉塞されて閉塞部５４として形成されていると共に、他方の端部（下方側の端部（矩形状に切り欠かれている側の端部））が開放され、この他方の端部の開放部から係合凸部４３がスライド係合される。
【００２６】
スライダー５の下方側の端部５ｂ（矩形状に切り欠かれている側の端部）近傍には、ストッパ部材取付孔５６が設けられている。このストッパ部材取付孔５６にスライダー５の表面から立設するようにストッパ部材１５が取り付けられている。ストッパ部材１５は、ストッパ部材取付孔５６の径より大きな寸法の径の円柱状のストッパ部１５ａと、そのストッパ部１５ａの一端面に同軸上に設けられ、ストッパ部材取付孔５６に挿入されると共にストッパ部１５ａの径より寸法が小さな径の突部１５ｂとからなる。
【００２７】
係合凹部５３に係合凸部４３が係合されている状態、すなわち、ベース部材４及びスライダー５がスライド係合している状態でストッパ部材取付孔５６にストッパ部材１５を取り付けることにより、ベース部材４のスライダー５に対する下方側の移動範囲がストッパ部材１５に規制されるようになっている。すなわち、ベース部材４は、係合凸部４３が係合凹部５３の閉塞部５４に当接する状態からベース部材４がストッパ部材１５に当接する状態までの範囲でスライド移動し得るようになっている。
【００２８】
係合凸部４３が係合凹部５３の閉塞部５４に当接する状態が、第１の筐体２と第２の筐体３とが重なり合った状態である閉成状態である（図１、図８（ａ）、図９（ａ）、図１３（ａ））。なお、図８及び図９は、ベース部材、スライダー、スライド付勢手段及び第２付勢手段の位置関係が分かり易いように示した図であり、スライド付勢手段及び第２付勢手段はバネのみで記載している。また、ベース部材４がストッパ部材１５に当接する状態が開成状態である（図３、図８（ｃ）、図９（ｃ）、図１３（ｃ））。これら閉成状態と開成状態との間の状態が中立状態である（図２、図８（ｂ）、図９（ｂ）、図１３（ｂ））。なお、ベース部材４を第１の筐体２に取り付け、スライダー５を第２の筐体３に取り付けたが、ベース部材４を第２の筐体３に取り付け、スライダー５を第１の筐体２に取り付けるようにしてもよい。
【００２９】
また、スライダー５の長手方向の略中央部には、幅方向（その長手方向と直交する方向）に延在する直線上のガイド溝２１が設けられている。このガイド溝２１は、スライダー５に対してベース部材４が閉成状態と開成状態との間をスライドしたとき、第１取付孔４５の移動範囲（スライド付勢手段６の一端部が取り付けられる個所の移動範囲）の中央（略中央を含む。）に設けられていることが好ましい。ガイド溝２１は、例えば、スライダー５の両側部近傍にわたって形成されている。このガイド溝２１の一方の端部（スライダー５の一方の側部（ベース部材４の一方の側部４１と対向する側の側部）５１側の端部）は、ベース部材４とスライダー５とがスライド係合しているとき、第１取付孔４５よりスライダー５の一方の側部５１から遠い位置に位置されている。ガイド溝２１には、ガイドシャフト１３がガイド溝２１に沿って往復移動可能に取り付けられる。ガイドシャフト１３は、ガイド溝２１に挿入される円柱状のシャフト部１３ａと、そのシャフト部１３ａの一端面に同軸上に設けられ、ガイドワッシャー３１に挿入されると共にシャフト部１３ａの径より寸法が小さな径の突部１３ｂと、シャフト部１３ａの他端面に同軸上に設けられ、シャフト部１３ａの径より寸法が大きな径であってガイド溝２１の孔より大きな径のストッパ部１３ｃとからなる。
【００３０】
また、スライダー５の他方の側部５１近傍であってその下方側の端部よりには、第２付勢手段７の一方の端部を取り付けるための第２取付孔５５が設けられている。第２取付孔５５に第２シャフト１２が取り付けられている。第２シャフト１２は、第２取付孔５５の径より大きな寸法の径の円柱状のシャフト部１２ａと、そのシャフト部１２ａの一端面に同軸上に設けられ、第２取付孔５５に挿入されると共にシャフト部１２ａの径より寸法が小さな径の突部１２ｂと、シャフト部１２ａの他端面に同軸上に設けられ、シャフト部１２ａの径より寸法が大きな径のストッパ部１２ｃとからなる。
【００３１】
スライド付勢手段６は、一端部がベース部材４に回動可能に取り付けられ、他端部がスライダー５に回動可能に取り付けられ、両端部を互いに離間する方向に付勢する伸縮可能なものである。スライド付勢手段６は、特に限定されず、例えば、コンプレッションスプリング等の付勢部材のみで形成されてもよいが、シリンダロッド構造のものであることが好ましい。このシリンダロッド構造のスライド付勢手段６としては、例えば、図１〜図４及び図７に示すように、シリンダ６１と、このシリンダ６１に往復動可能に一部が収容されたロッド６２と、前記シリンダ６１内に収容され、前記ロッド６２をその露出長が長くなるように付勢する付勢部材例えばコンプレッションスプリング６３とで構成されていてもよい。
【００３２】
シリンダ６１は、ベース部材４やスライダー５等に回動可能に取り付けるためのリング状の取付部６１ａと、ロッド６２の一部が収容されてロッド６２を直線方向に移動可能（摺動可能）に支持するシリンダ本体である案内部６１ｂとを有している。案内部６１ｂは、例えば、付勢部材としてのコンプレッションスプリング６３を２つ並設して収容し得るように断面略矩形状の孔を有している。
【００３３】
ロッド６２は、シリンダ６１の案内部６１ｂ内に一部が摺動可能に収容され、先端部が案内部６１ｂから露出するように形成されている。すなわち、ロッド６２は、シリンダ６１から露出しているロッド６２の長さ（シリンダ６１の取付部６１ａとロッドの先端部（取付部６２ａ）との間隔）が可変し得るようにシリンダ６１に収容されている。ロッド６２の先端部には、ベース部材４やスライダー５等に回動可能に取り付けるためのリング状の取付部６２ａが設けられている。また、ロッド６２の後端部には、シリンダ６１の案内部６１ｂに収容された２つのコンプレッションスプリング６３、６３の位置がずれないようにする突部６２ｂが２つ設けられている。シリンダ６１の長さ及びロッド６２の長さは、ベース部材４及びスライダー５が互いにスライドしたときに、ロッド６２がシリンダ６１から脱落しない寸法で形成されていることが好ましい。
【００３４】
付勢部材は、ロッド６２をシリンダ６１から突出する方向に付勢するもの、すなわち、スライド付勢手段６の両端部を互いに離間する方向に付勢するものであり、例えば、コンプレッションスプリング６３である。コンプレッションスプリング６３は、シリンダ６１の案内部６１ｂ内に２つ挿入されて収容されている。なお、コンプレッションスプリングを２つ設けたが、これに限定されるものではなく、１つでも３つ以上でもよい。
【００３５】
スライド付勢手段６の一端部であるロッド６２の取付部６２ａが例えばベース部材４の一方の側部近傍の第１取付孔４５に取り付けられた第１シャフト１１に回動可能に取り付けられている。スライド付勢手段６の他端部であるシリンダ６１の取付部６１ａは、スライダー５のガイド溝２１に、その溝２１に沿って移動可能に取り付けられたガイドシャフト１３に回動可能に取り付けられている。このガイドシャフト１３には、第２付勢手段７の一端部が回動可能に取り付けられている。
【００３６】
第２付勢手段７は、スライド付勢手段６の一端部をガイド溝２１の一方の端部側に付勢するものである。第２付勢手段７は、特に限定されず、例えば、コンプレッションスプリング等の付勢部材のみで形成されてもよいが、伸縮可能なシリンダロッド構造のものであることが好ましい。このシリンダロッド構造の第２付勢手段７としては、例えば、前記のシリンダロッド構造のスライド付勢手段６と同じ構造のもの等が挙げられる。すなわち、この第２付勢手段７は、例えば、シリンダ６１と、このシリンダ６１に往復動可能に一部が収容されたロッド６２と、前記シリンダ６１内に収容され、前記ロッド６２をその露出長が長くなるように付勢する付勢部材、例えばコンプレッションスプリング６３とで構成されている。第２付勢手段７の一端部であるロッド６２の取付部６２ａがガイドシャフト１３に回動可能に取り付けられ、その他端部であるシリンダ６１の取付部６１ａが、第２シャフト１２に回動可能に取り付けられている。
【００３７】
次に図４を用いてスライド付勢手段６及び第２付勢手段７のベース部材４及びスライダー５への組み付けを説明する。なお、本発明に係るスライド機構の全体が分かりやすいように図４においてベース部材４とスライダー５の配置を図１〜図３に示した例とは反対に記載してある。
【００３８】
ガイドシャフト１３を、図４に示すように、スライダー５のガイド溝２１に挿入する。この挿入は、スライダー５の外面側からガイドシャフト１３の突部１３ｂ及びシャフト部１３ａをガイド溝２１に挿入してガイド溝２１からガイドシャフト１３の突部１３ｂ及びシャフト部１３ａを突出させる。このガイドシャフト１３のシャフト部１３ａをスライド付勢手段６の他端部であるシリンダ６１の取付部６１ａに挿入してから第２付勢手段７の一端部であるロッド６２の取付部６２ａに挿入する。挿入後、ガイドシャフト１３の突部１３ｂをガイドワッシャー３１に挿入した後、この突部１３ｂをカシメる。これにより、ガイドシャフト１３は、ガイド溝２１に沿って移動可能にスライダー５に取り付けられて、スライド付勢手段６のシリンダ６１の取付部６１ａがスライダー５に回動可能であってスライダー５の長手方向に移動可能に取り付けられると共に、第２付勢手段７のロッド６２の取付部６２ａがガイドシャフト１３に回動可能に取り付けられることになる。
【００３９】
第２シャフト１２をその突部１２ｂから第２付勢手段７の他端部であるシリンダ６１の取付部６１ａに挿入した後にスライダー５の第２取付孔５５に突部１２ｂをその内面から挿入する。このとき、シリンダ６１の案内部６１ｂ内にコンプレッションスプリング６３を介してガイドシャフト１３に取り付けられているロッド６２の一部を予め収容させておく。第２シャフト１２の突部１２ｂをカシメることにより、第２シャフト１２がスライダー５に取り付けられて、シリンダ６１の取付部６１ａがスライダー５に回動可能に取り付けられることになる。
【００４０】
第１シャフト１１をその突部１１ｂからワッシャー３２を介してスライド付勢手段６の一端部であるロッド６２の取付部６２ａに挿入した後にベース部材４の第１取付孔４５に突部１１ｂをベース部材４の内面から挿入する。この第１シャフト１１の突部１１ｂをカシメることにより、第１シャフト１１がベース部材４に取り付けられて、ロッド６２の取付部６２ａがベース部材４に回動可能に取り付けられることになる。
【００４１】
このベース部材４を、スライダー５の下方の端部側の係合凹部５３が開放されている開放部から係合凸部４３をスライドさせてスライダー５に係合させる。このとき、スライド付勢手段６のシリンダ６１の案内部６１ｂ内にコンプレッションスプリング６３を予め収容させておくと共に、その案内部６１ｂの開口部とスライド付勢手段６のロッド６２の後端部とをつき合わせる。これにより、ベース部材４とスライダー５とをスライド係合させると、そのロッド６２の後端部がシリンダ６１の案内部６１ｂ内に挿入されて、その案内部６１ｂ内に収容されているコンプレッションスプリング６３を変位させる。
【００４２】
そして、ベース部材４がスライダー５に対して閉成状態より開成状態側にスライドした後にストッパ部材取付孔５６にストッパ部材１５を取り付けて、ベース部材４のスライダー５に対する下方側の移動範囲をストッパ部材１５に規制させる。これにより、スライド付勢手段６及び第２付勢手段７をベース部材４及びスライダー５に組み付けることができる。なお、スライド付勢手段６及び第２付勢手段７のベース部材４及びスライダー５への組み付けは、前述の記載に限定されず、組み付けを行うことができれば特に限定されるものではない。
【００４３】
このように組み付けられたベース部材４及びスライダー５は、例えば、第１の筐体２及び第２の筐体３にそれぞれ取り付けられており、第１の筐体２と第２の筐体３が互いに重なり合った閉成状態にあっては、図１及び図８（ａ）に示したように、スライド付勢手段６のコンプレッションスプリングの付勢力によって、ベース部材４がスライダー５の上方、すなわち、係合凸部４３が係合凹部５３の閉塞部５４に当接するように付勢されて、ベース部材４とスライダー５とが係止されている。よって、第１の筐体２と第２の筐体３が互いに重なり合った閉成状態が維持されている。なお、この閉成状態をより確実に維持するために、ロック機構を設けるようにしてもよい。
【００４４】
この閉成状態のとき、スライド付勢手段６の他端部が取り付けられているガイドシャフト１３には、第２付勢手段７の一端部が取り付けられており、第２付勢手段７によってガイド溝２１の一方の端部側にガイドシャフト１３が付勢されている。この第２付勢手段７の他端部は、スライド付勢手段６の一端部よりガイド溝２１に近い位置であるので、第２付勢手段７の付勢力によってガイドシャフト１３は、ガイド溝２１の他方の端部より一方の端部側に離間した位置例えばガイド溝２１の略中央部に位置されている。
【００４５】
この閉成状態から開成方向、すなわち係合凸部４３が係合凹部５３の閉塞部５４から離間する方向に第１の筐体２、又は第２の筐体３、あるいは両方の筐体２、３をスライドさせると、スライド付勢手段６の両端部は回動しつつその両端部間の長さが短くなる、すなわち、スライドさせるときの力がコンプレッションスプリング６３にかかりコンプレッションスプリング６３が荷重を受けてその付勢力に抗して縮む。このとき、スライド付勢手段６の一端部は、第２付勢手段７の他端部よりガイド溝２１に近づくので、スライド付勢手段６の付勢力によってガイドシャフト１３は、ガイド溝２１の他方の端部側に移動する。
【００４６】
そして、図２及び図８（ｂ）に示したように、スライド付勢手段６の両端部間の長さが最小になる、すなわち、スライド付勢手段６の両端部がガイド溝２１が延びる直線上に位置されると、スライド付勢手段６のコンプレッションスプリング６３は最小に縮むと共に、そのコンプレッションスプリング６３の付勢力によりガイドシャフト１３がガイド溝２１の他方の側部側の端部に当接する。この状態（中立状態ということがある。）を過ぎると、スライド付勢手段６の一端部は、ガイド溝２１よりスライダー５の下方の端部側に移動してスライド付勢手段６の両端部間の長さが長くなる。このとき、スライド付勢手段６のコンプレッションスプリング６３は、スライド付勢手段６の両端部を互いに離間する方向に付勢するので、筐体２、３及びベース部材４、スライダー５は自動的にスライド移動して、図３及び図８（ｃ）に示したように、ベース部材４がストッパ部材１５に当接して開成状態になる。
【００４７】
この開成状態においても、スライド付勢手段６のコンプレッションスプリング６３は、両端部を互いに離間する方向に付勢する、すなわち、ベース部材４がストッパ部材１５に当接するように付勢するので、第１の筐体２と第２の筐体３は開成状態が維持されることになる。これにより、第１の筐体２の上面に設けたキーボード部２ａが露出するので、通話及びキーボード操作が可能となる。なお、この開成状態をより確実に維持するために、ロック機構を設けるようにしてもよい。よって、閉成状態から開成状態にスライド移動させるときに半自動でスライド動作を行えることになる。
【００４８】
この開成状態のとき、第２付勢手段７の他端部は、スライド付勢手段６の一端部よりガイド溝２１から遠い位置にあるが、スライド付勢手段６の一端部との長さの違いが小さいので、ガイドシャフト１３は第２付勢手段７によってガイド溝２１の一方の端部側に付勢される。このため、ガイドシャフト１３すなわちスライド付勢手段６の他端部は、ガイド溝２１の他方の端部より一方の端部側に離間した位置例えばガイド溝２１の略中央部よりに位置される。このように、スライド付勢手段６の他端部が回動可能に取り付けられているガイドシャフト１３は、ガイド溝２１によってスライダー５の幅方向（ベース部材４又はスライダー５のスライド方向と直交する方向）に移動可能であると共に、第２付勢手段７によってガイド溝２１の一方の側部側の端部に付勢されているために、閉成状態及び開成状態では、ガイドシャフト１３がガイド溝２１の他方の側部から離間した位置に位置されている。すなわち、スライド付勢手段６の両端部間の間隔が第２付勢手段７で付勢されていない場合に比して狭くなる。その結果、付勢力の小さなスライド付勢手段６を用いることができるので、ベース部材４やスライダー５及び筐体２、３の幅を狭くすることが可能となる。
【００４９】
開成状態から閉成方向、すなわちベース部材４がストッパ部材１５から離間する方向に第１の筐体２、又は第２の筐体３、あるいは両方の筐体２、３をスライドさせると、スライド付勢手段６の両端部間の長さが短かくなると共に、そのコンプレッションスプリング６３が付勢力に抗して縮む。スライド付勢手段６の両端部間の長さが最小になった後は、コンプレッションスプリング６３が両端部を互いに離間する方向に付勢するので、筐体２、３は自動的にスライド移動して係合凸部４３が係合凹部５３の閉塞部５４に当接して閉成状態になる。よって、開成状態から閉成状態にスライド移動させるときに半自動でスライド動作を行えることになる。
【００５０】
したがって、本発明に係る第１の携帯機器のスライド機構１は、構成が簡単な上に、第１の筐体２と第２の筐体３とを半自動的にスライドさせることができ、操作性が向上すると共に、ベース部材４やスライダー５及び筐体２、３の幅を狭くすることができる。
【００５１】
また、スライド付勢手段６及び第２付勢手段７としてシリンダロッド構造の付勢手段を用いることにより、付勢部材例えばコンプレッションスプリング６３を２つ以上並列することができ、スライド付勢手段６の付勢力を強くすることができる。すなわち、コンプレッションスプリングのみを例えばスライド付勢手段６として用いる場合には、コンプレッションスプリングは、例えば、その一端部を軸とすると回動するために、２つ以上並設する場合には、コンプレッションスプリングが回動するときに他のコンプレッションスプリングに邪魔にならないように間隔を空けなくてはならず、幅が広くなってしまう。これに対して、シリンダロッド構造の付勢手段を用いることにより、シリンダ６１内に収容されている付勢部材例えばコンプレッションスプリング６３自身が回動することがないので、コンプレッションスプリング６３を２つ以上近接させて並設することができるので、大幅に付勢手段の幅が広くなることがない。
【００５２】
また、ベース部材４と第１の筐体２の間には、ボールベアリング１７が設けられているために、ベース部材４、スライダー５を互いにスライドさせたときに、第１の筐体２にかかる摩擦力がボールベアリング１７によって軽減されるので、ベース部材４及び第１の筐体２の磨耗を抑制することができる。
【００５３】
なお、図示例では、ベース部材４と第１の筐体２の間にボールベアリング１７が設けられているが、スライダー５の取付面（両側部が立設してない表面（裏面））の両側部近傍に、ボールベアリングを収容するボールベアリング収容部を複数設けて、スライダー５と第２の筐体３の間にボールベアリングを設けるようにしてもよい。
【００５４】
また、１つのスライド付勢手段６を設けて半自動でスライド動作を行えるように構成したが、２つ以上例えば２つのスライド付勢手段により半自動でスライド動作を行えるように構成してもよい。この本発明に係る第２の携帯機器のスライド機構において、２つのスライド付勢手段は、ベース部材４又はスライダー５の幅方向の中央を中心線として対称に取り付けられていることが好ましい。すなわち、２つのスライド付勢手段は、ベース部材４とスライダー５とがスライド係合されている中央、言い換えると、係合凹部５３又は係合凸部４３の間の中央を中心線として対称に取り付けられていることが好ましい。このように、２つのスライド付勢手段がベース部材又はスライダー５の幅方向の中央を中心線として対称に取り付けられていることにより、ベース部材４、スライダー５を互いにスライドさせるときの片減りを抑制することが可能となる。
【００５５】
具体的には例えば、図９に示すように、２つのスライド付勢手段６０の一端部がベース部材４０の両側部近傍に回動可能に取り付けられている。スライダー５０には、その幅方向に延びるガイド溝２２が設けられ、このガイド溝２２に２つのスライド付勢手段６０の他端部が回動可能で、かつ、ガイド溝２２に沿って移動可能に取り付けられている。また、２つのスライド付勢手段６０の他端部には、第２付勢手段７０の両端部が取り付けられており、２つのスライド付勢手段６０の他端部がガイド溝２２の端部にそれぞれ当接するように付勢されている。
【００５６】
このように構成すると、閉成状態にあっては、図９（ａ）に示したように、スライド付勢手段６０のコンプレッションスプリングの付勢力によって、ベース部材４０がスライダー５０の上方、すなわち、係合凸部４３が係合凹部５３の閉塞部５４に当接するように付勢されて、ベース部材４０とスライダー５０とが係止されている。よって、第１の筐体２と第２の筐体３が互いに重なり合った閉成状態が維持されている。この閉成状態のとき、スライド付勢手段６０の他端部が第２付勢手段７０の付勢力によってガイド溝２２の端部にそれぞれ当接されている。
【００５７】
この閉成状態から係合凸部４３が係合凹部５３の閉塞部５４から離間する方向にベース部材４０、スライダー５０を互いにスライドさせると、スライド付勢手段６０の両端部は回動しつつその両端部間の長さが短くなり、コンプレッションスプリングが縮む。そして、スライド付勢手段６０の両端部がガイド溝２２が延びる直線上に位置されると、スライド付勢手段６０のコンプレッションスプリングは最小に縮むと共に、第２付勢手段７０のコンプレッションスプリングも最小に縮み、２つのスライド付勢部手段６０及び１つの第２付勢手段７０がガイド溝２２が延びる直線上に直列に並ぶ。
【００５８】
この状態を過ぎると、スライド付勢手段６０の一端部は、ガイド溝２２よりスライダー５０の下方の端部側に移動してスライド付勢手段６０の両端部間の長さが長くなる。このとき、スライド付勢手段６０のコンプレッションスプリングは、スライド付勢手段６０の両端部を互いに離間する方向に付勢するので、ベース部材４０、スライダー５０は自動的にスライド移動してベース部材４０がストッパ部材１５に当接して開成状態になる。この開成状態においても、スライド付勢手段６０のコンプレッションスプリングは、両端部を互いに離間する方向に付勢する、すなわち、ベース部材４０がストッパ部材１５に当接するように付勢するので、開成状態が維持されることになる。また、開成状態のとき、スライド付勢手段６０の他端部が第２付勢手段７０の付勢力によってガイド溝２２の端部にそれぞれ当接されている。
【００５９】
したがって、このように構成しても、構成が簡単な上に、ベース部材４０、スライダー５０を半自動的にスライドさせることができ、操作性が向上すると共に、ベース部材４０やスライダー５０の幅を狭くすることができる。
【００６０】
図１０は本発明に係る第３の携帯機器のスライド機構の一例を示す図である。この第３の携帯機器のスライド機構は、図１０に示すように、スライドアーム１０１の両端部が、前記スライドの途中に該両端部が前記直線方向に対して直交する直線上に位置されるようにベース部材４及びスライダー５にそれぞれ配置され、これら両端部のいずれか一方の端部が、スライド方向に対して直交する直交方向に移動可能にベース部材４又はスライダー５に取り付けられ、スライドアーム１０１の一方の端部を、前記直交方向の前記スライドアーム１０１の他方の端部側に付勢するアーム付勢手段１０２を設けたことを特徴とする。すなわち、前記の第１の携帯機器のスライド機構１において、スライド付勢手段６の代わりにスライドアーム１０１を用いたことに特徴がある。アーム付勢手段１０２は、前記の第１の携帯機器のスライド機構１においては第２付勢手段に相当する。なお、前記の第１の携帯機器のスライド機構１と同じ部材には同じ名称を付し、その説明を省略する。また、図１０は、ベース部材、スライダー、スライドアーム及びアーム付勢手段の位置関係が分かり易いように示した図であり、スライドアーム付勢手段はバネのみで記載している。
【００６１】
スライドアーム１０１は、例えば棒状で形成されている。スライドアーム１０１の一端部は、例えばベース部材４の一方の側部近傍に例えばシャフト１０５を介して回動可能に取り付けられている。スライドアーム１０１の他端部は、スライダー５のガイド溝１０３に、その溝１０３に沿って移動可能でかつ回動可能に例えばガイドシャフト１０６を介して取り付けられている。このガイドシャフト１０６には、アーム付勢手段１０２の一端部が取り付けられている。
【００６２】
アーム付勢手段１０２は、スライドアーム１０１の一端部をガイド溝１０３の一方の端部側に付勢するものである。アーム付勢手段１０２は、特に限定されず、前記の伸縮可能なシリンダロッド構造のものでもよいが、コンプレッションスプリングのみで形成されていてもよい。アーム付勢手段１０２としてコンプレッションスプリングのみを用いた場合には、このコンプレッションスプリングがスライダー５のガイド溝１０３内に収容され、その一端部がスライドアーム１０１の他端部であるガイドシャフト１０６に接続されていると共に、他端部をガイド溝１０３の他方の端部（スライダー５の他方の側部近傍側の端部）に接続されている。
【００６３】
このように構成して、ベース部材４及びスライダー５を、例えば、第１の筐体２及び第２の筐体３にそれぞれ取り付けた場合、第１の筐体２と第２の筐体３が互いに重なり合った閉成状態にあっては、図１０（ａ）に示したように、アーム付勢手段１０２のコンプレッションスプリングの付勢力によって、スライドアーム１０１を介してベース部材４がスライダー５の上方、すなわち、係合凸部４３が係合凹部５３の閉塞部５４に当接するように付勢されて、ベース部材４とスライダー５とが係止されている。よって、第１の筐体２と第２の筐体３が互いに重なり合った閉成状態が維持されている。
【００６４】
この閉成状態から開成方向に第１の筐体２、又は第２の筐体３、あるいは両方の筐体２、３をスライドさせると、スライドアーム１０１の一端部がコンプレッションスプリングを押圧してコンプレッションスプリングが荷重を受けてその付勢力に抗して縮み、ガイド溝１０３の他方の端部側に移動する。
【００６５】
そして、図１０（ｂ）に示したように、スライドアーム１０１の両端部がガイド溝１０３が延びる直線上に位置されると、アーム付勢手段１０２のコンプレッションスプリングが最小に縮む。この状態（中立状態ということがある。）を過ぎると、コンプレッションスプリングが、スライドアーム１０１の一端部をガイド溝１０３の一方の端部側に付勢するので、筐体２、３及びベース部材４、スライダー５は自動的にスライド移動して、図１０（ｃ）に示したように、ベース部材４がストッパ部材１５に当接して開成状態になる。
【００６６】
この開成状態においても、コンプレッションスプリングは、スライドアーム１０１の一端部をガイド溝１０３の一方の端部側に付勢するので、第１の筐体２と第２の筐体３は開成状態が維持されることになる。これにより、第１の筐体２の上面に設けたキーボード部２ａが露出するので、通話及びキーボード操作が可能となる。
【００６７】
開成状態から閉成方向に第１の筐体２、又は第２の筐体３、あるいは両方の筐体２、３をスライドさせると、コンプレッションスプリングが付勢力に抗して縮む。スライドアーム１０１の両端部がガイド溝１０３が延びる直線上に位置された後は、コンプレッションスプリングがスライドアーム１０１の一端部をガイド溝１０３の一方の端部側に付勢するので、筐体２、３は自動的にスライド移動して閉成状態になる。よって、開成状態から閉成状態にスライド移動させるときに半自動でスライド動作を行えることになる。
【００６８】
したがって、本発明に係る第３の携帯機器のスライド機構１００は、構成が簡単な上に、第１の筐体２と第２の筐体３とを半自動的にスライドさせることができ、操作性が向上する。
【００６９】
図１１及び図１２は本発明に係る第４の携帯機器のスライド機構の一例を示す図である。この第４の携帯機器のスライド機構は、図１１及び図１２に示すように、スライド付勢手段２１０が、両端部を互いに離間する方向に付勢する伸縮可能な第１付勢部材２１１と、この第１付勢部材２１１に回動可能に連結され、第１付勢部材２１１とで屈曲状となる第２アーム２１２と、前記第１付勢部材２１１と前記第２アーム２１２とを直線状になるように付勢する第３付勢手段２１３とからなることを特徴とする。なお、前記の第１の携帯機器のスライド機構１と同じ部材には同じ名称を付し、その説明を省略する。図１１及び図１２は、ベース部材、スライダー、スライド付勢手段の位置関係が分かり易いように示した図であり、第１付勢部材及び第３付勢手段はバネのみで記載している。
【００７０】
スライド付勢手段２１０は、一端部がベース部材４に回動可能に取り付けられ、他端部がスライダー５に回動可能に取り付けられているものである。スライド付勢手段２１０は、両端部を互いに離間する方向に付勢する伸縮可能な第１付勢部材２１１と、この第１付勢部材２１１に回動可能に連結され、第１付勢部材２１１とで屈曲状となる第２アーム２１２と、前記第１付勢部材２１１と前記第２アーム２１２とを直線状になるように付勢する第３付勢手段２１３とからなる。
【００７１】
第１付勢部材２１１は、例えば、コンプレッションスプリング等の付勢部材のみで形成されてもよいが、シリンダロッド構造のものであることが好ましい。このシリンダロッド構造の第１付勢部材２１１としては、前記の第１の携帯機器のスライド機構１のスライド付勢手段６と同じ構造のもの等が挙げられる。すなわち、第１付勢部材２１１は、例えば、シリンダ６１と、このシリンダ６１に往復動可能に一部が収容されたロッド６２と、前記シリンダ６１内に収容され、ロッド６２をその露出長が長くなるように付勢する例えばコンプレッションスプリング６３とで構成されている。第１付勢部材２１１の一端部は、例えばベース部材４の一方の側部近傍に例えばシャフト２２１を介して回動可能に取り付けられ、その他端部と第２アーム２１２の一端部とが互いに回動可能に取り付けられている。
【００７２】
第２アーム２１２は、例えば棒状で形成されている。第２アーム２１２の他端部は、スライダー５に例えばシャフト２２２を介して回動可能に取り付けられている。この第２アーム２１２と第１付勢部材２１１とには、これら第２アーム２１２と第１付勢部材２１１とを直線上になるように付勢する第３付勢手段２１３が設けられている。
【００７３】
第３付勢手段２１３は、屈曲している第１付勢部材２１１と第２アーム２１２とを直線状になるように付勢するものである。第３付勢手段２１３としては、例えば、図１１に示すように、湾曲コンプレッションスプリング２１５や、図１２に示すように、湾曲引きスプリング２１６等が挙げられる。第３付勢手段２１３の付勢力、第１付勢部材２１１の長さ、付勢力及び第２アーム２１２の長さ等は、閉成状態にあってはベース部材４がスライダー５の上方に当接するように付勢すると共に、開成状態にあってはベース部材４がストッパ部材１５に当接するように付勢し、かつ、ベース部材４、スライダー５あるいは両方をスライドさせて中立状態を過ぎた後は、スライド付勢手段２１０の両端部が互いに離れる方向に付勢するようにそれぞれ任意の範囲から選定されるようにする。
【００７４】
このように構成して、ベース部材４及びスライダー５を、例えば、第１の筐体２及び第２の筐体３にそれぞれ取り付けた場合、第１の筐体２と第２の筐体３が互いに重なり合った閉成状態にあっては、図１１（ａ）及び図１２（ａ）に示したように、スライド付勢手段２１０のコンプレッションスプリングの付勢力及び第３付勢手段２１３の付勢力によって、ベース部材４がスライダー５の上方、すなわち、係合凸部４３が係合凹部５３の閉塞部５４に当接するように付勢されて、ベース部材４とスライダー５とが係止されている。よって、第１の筐体２と第２の筐体３が互いに重なり合った閉成状態が維持されている。
【００７５】
この閉成状態から開成方向に第１の筐体２、又は第２の筐体３、あるいは両方の筐体２、３をスライドさせると、スライド付勢手段２１０のコンプレッションスプリング及び第３付勢手段２１３が荷重を受けてその付勢力に抗してそれぞれ弾性変形する。
【００７６】
そして、図１１（ｂ）及び図１２（ｂ）に示したように、スライド付勢手段２１０の両端部間の長さが最小になると、スライド付勢手段２１０のコンプレッションスプリングは最小に縮むと共に、第３付勢手段２１３が最も大きく弾性変形する。この状態（中立状態ということがある。）を過ぎると、スライド付勢手段２１０のコンプレッションスプリングの付勢力及び第３付勢手段２１３の付勢力によって筐体２、３及びベース部材４、スライダー５が自動的にスライド移動して、図１１（ｃ）及び図１２（ｃ）に示したように、ベース部材４がストッパ部材１５に当接して開成状態になる。
【００７７】
この開成状態においても、スライド付勢手段２１０のコンプレッションスプリングの付勢力及び第３付勢手段２１３の付勢力によって、ベース部材４がストッパ部材１５に当接するように付勢するので、第１の筐体２と第２の筐体３は開成状態が維持されることになる。
【００７８】
開成状態から閉成方向に第１の筐体２、又は第２の筐体３、あるいは両方の筐体２、３をスライドさせると、中立状態を過ぎると、スライド付勢手段２１０のコンプレッションスプリングの付勢力及び第３付勢手段２１３の付勢力によって筐体２、３及びベース部材４、スライダー５が自動的にスライド移動して閉成状態になる。よって、開成状態から閉成状態にスライド移動させるときに半自動でスライド動作を行えることになる。
【００７９】
また、スライド付勢手段２１０の他端部（第２アームの他端部）はスライダー５の他方の側部より中央に位置させることができるので、スライド付勢手段２１０の両端部間の間隔を例えばコンプレッションスプリングのみでスライド付勢手段を構成する場合に比して狭くすることができる。その結果、付勢力の小さなスライド付勢手段６を用いることができるので、ベース部材４やスライダー５及び筐体２、３の幅を狭くすることが可能となる。
【００８０】
したがって、本発明に係る第４の携帯機器のスライド機構２００は、構成が簡単な上に、第１の筐体２と第２の筐体３とを半自動的にスライドさせることができ、操作性が向上すると共に、ベース部材４やスライダー５の幅を狭くすることができる。
【産業上の利用可能性】
【００８１】
以上説明したように本発明に係るスライド機構は、構成が簡単な上に、第１の筐体と第２の筐体とを半自動的にスライドさせることができるので、操作性が向上し、かつ、ベース部材やスライダーの幅を狭くすることができ、携帯端末の中でもとくに携帯電話機のスライド機構として好適に用いられるものである。
【図面の簡単な説明】
【００８２】
【図１】本発明に係る第１の携帯端末のスライド機構の閉成状態を示す平面図である。
【図２】本発明に係る第１の携帯端末のスライド機構の開成動作を説明する平面図である。
【図３】本発明に係る第１の携帯端末のスライド機構の開成状態を説明する平面図である。
【図４】本発明に係る第１の携帯端末のスライド機構を示す分解斜視図である。
【図５】本発明に係るベース部材の一例を示す斜視図である。
【図６】本発明に係るスライダーの一例を示す斜視図である。
【図７】本発明に係る付勢手段の一例を示す分解斜視図である。
【図８】本発明に係る第１の携帯端末のスライド機構の動作状態を説明する概略平面図で、（ａ）は閉成状態を示す図、（ｂ）は開成動作を示す図、（ａ）は開成状態を示す図である。
【図９】本発明に係る第２の携帯端末のスライド機構の動作状態を説明する概略平面図で、（ａ）は閉成状態を示す図、（ｂ）は開成動作を示す図、（ａ）は開成状態を示す図である。
【図１０】本発明に係る第３の携帯端末のスライド機構の動作状態を説明する概略平面図で、（ａ）は閉成状態を示す図、（ｂ）は開成動作を示す図、（ａ）は開成状態を示す図である。
【図１１】本発明に係る第４の携帯端末のスライド機構の動作状態を説明する概略平面図で、（ａ）は閉成状態を示す図、（ｂ）は開成動作を示す図、（ａ）は開成状態を示す図である。
【図１２】本発明に係る第４の携帯端末のスライド機構の他の例の動作状態を説明する概略平面図で、（ａ）は閉成状態を示す図、（ｂ）は開成動作を示す図、（ａ）は開成状態を示す図である。
【図１３】携帯電話機の動作状態を説明する概略平面図で、（ａ）は閉成状態を示す図、（ｂ）は開成動作を示す図、（ａ）は開成状態を示す図である。
【符号の説明】
【００８３】
１  スライド機構
２  第１の筐体
３  第２の筐体
４  ベース部材
５  スライダー
６  スライド付勢手段
７  第２付勢手段
１１  第１シャフト
１２  第２シャフト
１３  ガイドシャフト
１５  ストッパ部材
１７  ボールベアリング
２１  ガイド溝
４３  係合凸部
５３  係合凹部
５４  閉塞部
６１  シリンダ
６２  ロッド
６３  コンプレッションスプリング
【図１】
2006081107.tif 000003
【図２】
2006081107.tif 000004
【図３】
2006081107.tif 000005
【図４】
2006081107.tif 000006
【図５】
2006081107.tif 000007
【図６】
2006081107.tif 000008
【図７】
2006081107.tif 000009
【図８】
2006081107.tif 000010
【図９】
2006081107.tif 000011
【図１０】
2006081107.tif 000012
【図１１】
2006081107.tif 000013
【図１２】
2006081107.tif 000014
【図１３】
2006081107.tif 000015